(57)【要約】      （修正有）【課題】一旦カートリッジケースからディスクが取り出された後は取り出されたディスクへの書き込みが行えないようにするために、使用者に対して簡単に開放履歴を消去できなくすることによって高精度の書き込みが行えるようにする。【解決手段】カートリッジ内に導電部材１０２を設け、この導電部材の両端はカートリッジの外から接触が可能なようになっているが、導電部材はカートリッジのカバー１０３が開けられた状態であっても外から触れることができない箇所を通過させるように置かれている。一度ディスク取り出しカバーが開けられたらこの触れることができない部分の状態が変化するような構成とすることにより、ユーザーにより容易に修復させないようにすることができるため、取り出されたディスクに対する再書き込み防止の保証ができ、高精度の書き込みが可能になる。【選択図】図１
2010003378.tif 000002
【特許請求の範囲】
【請求項１】
ケースと、このケース内に回転自在に収納されたディスクとを備え、
前記ケースには前記ディスクにデータを記録する際にヘッドと駆動軸を前記ディスクにアクセスさせるための第１の開口部と、
この第１の開口部を覆った開閉可能な第１のカバーと、
前記ディスクを取り出すための第２の開口部と、
この第２の開口部を開閉するための第２のカバーと、
この第２のカバーを開けると電気的な状態が変化し、前記ケースの外からは修復不能となる導電部材と、
この導電部材の状態を検知させる検知部と、
を備えることを特徴とする記録媒体。
【請求項２】
前記導電部材は前記第２のカバーを開けると電気的な導通部分が切断されることを特徴とする請求項１に記載の記録媒体。
【請求項３】
前記導電部材の切断される部分は、前記ケースの第１の開口部と第２の開口部がオープン状態でも物理的にアクセスが不能な位置に配置されていることを特徴とする請求項２に記載の記録媒体。
【請求項４】
前記検知部が、ケースの外から前記導電部材の一端に接触可能にするための確認孔と、他端に接触可能にするための第２の確認孔であることを特徴とする請求項１から３のいずれかひとつに記載の記録媒体。
【請求項５】
前記ディスクは光ディスクであることを特徴とする請求項１から４のいずれかひとつに記載の記録媒体。
【請求項６】
請求項１から５いずれかひとつに記載の記録媒体の挿入及び取り出し制御部と、前記記録媒体内に収納されたディスクを駆動する駆動制御部と、前記ディスクにデータを記録する記録制御部と、前記導電部材の状態を確認し前記ディスクに書き込みを行うかどうかを判断する認証部とを備えたことを特徴とする情報記録装置。
【請求項７】
前記認証部は、前記第１の確認孔を通して前記導電部材の一端に接触する第１の接触ピンと、前記第２の確認孔を通して前記導電部材の他端に接触する第２の接触ピンと、を備えることを特徴とする請求項６に記載の情報記録装置。
【請求項８】
前記認証部は、前記導電部材の一端の電圧を変化させた場合に、他端の電圧も同時に変化するか否かを検出する認証手段であることを特徴とする請求項７に記載の情報記録装置。
【発明の詳細な説明】
【技術分野】
【０００１】
本発明はカードケース内にディスクを収納させた記録媒体と、それを用いた情報記録装置に関するものである。
【背景技術】
【０００２】
この種記録媒体としては、例えばＤＶＤ−ＲＡＭといわれるものがある。このＤＶＤ−ＲＡＭはその記憶容量が極めて高いことから、各種記録メディアとして広く活用されている。
【０００３】
この記録媒体は、カートリッジケースの中にディスクを収納させているが、その理由はこのディスクの記憶容量が高いことに起因している。すなわちこのディスクは１枚のＤＶＤできたものであって、非常に記憶容量が高いことから緻密な記憶ができるが、その反面、そのディスクの表面が汚れると大変大きな書き込み不良が生じてしまう。そこで、そのディスクはカートリッジケースに収納させている。
【特許文献１】特開平１０−１４９６５８号公報
【発明の開示】
【発明が解決しようとする課題】
【０００４】
上記従来例において、カートリッジケースはディスクを取り出すためのカバーが開閉自在に設けられている。すなわち記録したディスクを一般の再生機器で再生しようとする場合はカートリッジケースからディスクを取り出して再生しなければならない。
【０００５】
しかし、一旦このようにケースから取り出したディスクは汚れているので、これを再びケースの中に収納させて高密度な記録動作をしようとすると、記録にミスがでてしまう。
【０００６】
そこで、一旦取り出したディスクが再びカートリッジケース内に収納されて高密度記録が行われるのを避けるために、カートリッジケースに開口部を設けて、一旦カバーを開放してディスクを取り出すと、その開口部が穴あき状態となるようにしている。
したがって、情報記録装置がこのカートリッジケースの穴あき状態を検出して、一旦カートリッジケースから取り出されたディスクが再装填されたと判断し、書き込み動作を行わないようにしている。
【０００７】
しかしながら、このような再装填後のディスクへの書き込みを防止するための開口部は、ケースの外部から、例えばテープを貼れば、それを覆ってしまうことが簡単にできるので、つまり開放履歴を簡単に消去できるので、一旦取り出されたものであっても書き込み動作が行われ、その結果、汚れたディスクを用いているのであるから、高精度な書き込みが行われないものであった。
【０００８】
そこで、本発明は、カートリッジケースからディスクが取り出された後は、この取り出されたディスクへの書き込みが行えないようにするために、使用者に対して、簡単に開放履歴を消去できなくすることによって、高精度の書き込みが行えるようにすることを目的とする。
【課題を解決するための手段】
【０００９】
そして、この目的を達成するために、本発明の記録媒体は、  ケースと、このケース内に回転自在に収納されたディスクとを備え、前記ケースには前記ディスクにデータを記録する際にヘッドと駆動軸を前記ディスクにアクセスさせるための第１の開口部と、この第１の開口部を覆った開閉可能な第１のカバーと、前記ディスクを取り出すための第２の開口部と、この第２の開口部を開閉するための第２のカバーと、
この第２のカバーを開けると電気的な状態が変化し前記ケースの外からは修復不能となる導電部材と、この導電部材の状態を検知させる検知部と、を備えることを特徴としたものである。
【００１０】
さらに、前記導電部材は前記第２のカバーを開けると電気的な導通部分が切断されることを特徴としたものである。
【００１１】
さらに、前記導電部材の切断される部分は、前記ケースの第１の開口部と第２の開口部がオープン状態でも物理的にアクセスが不能な位置に配置されていることを特徴としたものである。
【００１２】
さらに、前記検知部が、ケースの外から前記導電部材の一端に接触可能にするための確認孔と、他端に接触可能にするための第２の確認孔であることを特徴としたものである。
【００１３】
さらに、前記ディスクは光ディスクであることを特徴としたものである。
【００１４】
また、本発明の情報記録装置は、
請求項１から６いずれかひとつに記載の記録媒体の挿入及び取り出し制御部と、前記カートリッジ内に収納されたディスクを駆動する駆動制御部と、前記ディスクにデータを記録する記録制御部と、前記導電部材の状態を確認し前記ディスクに書き込みを行うかどうかを判断する認証部とを備えたことを特徴としたものである。
【００１５】
さらに、前記認証部は、前記第１の確認孔を通して前記導電部材の一端に接触する第１の接触ピンと、前記第２の確認孔を通して前記導電部材の他端に接触する第２の接触ピンと、を備えることを特徴としたものである。
【００１６】
さらに、前記認証部は、前記導電部材の一端の電圧を変化させた場合に、他端の電圧も同時に変化するか否かを検出する認証手段であることを特徴としたものである。
【発明の効果】
【００１７】
本発明の記録媒体によれば、ディスクの取り出し口のカバーが開けられたことを示す識別部材がユーザーにより容易に修復されることを防ぐことができ、さらに、情報記録装置が一度取り出された可能性のあるカートリッジを判別することができるため、カートリッジケースからディスクが取り出された場合に、この取り出されたディスクへの書き込みが行えないようにすることにより、高精度の書き込みが行えるようになる。
【発明を実施するための最良の形態】
【００１８】
以下に、本発明の記録媒体及びその記録媒体の状態を確認できる情報記録装置の実施の形態を図面とともに詳細に説明する。
【００１９】
（実施の形態）
図１を用いて各部分の構成を説明する。
【００２０】
前記ケースは、上ケース１００と下ケース１０１からなり、記録機器が導通を確認するための図１には図示しない第１の導通確認孔１２４と第２の導通確認孔１１２が設けられている。これら２つの導通確認孔間の導通状態を確認することで、検知部としての働きが機能する。ケースが接合されたときには密閉部１３５ができるようにディスクガイド壁１３６がある。ケースの内部には、記録・再生可能な情報媒体のディスク状媒体１０５を回転自在に収納できるようになっている。また、第１のカバー１０４により開閉されるヘッド挿入孔１１３，１１５と駆動軸挿入孔１１４，１１６よりなる第１の開口部（図２では符号１）と、第２のカバー１０３により開閉されるディスク１０５を取り出しうる第２の開口部（図２では符号２）を形成している。ケースには外面より一段低いシャッタ摺動領域１１１があり、第１のカバー１０４が摺動可能になっている。
【００２１】
第１のカバー１０４は下ケース１０１に設けたガイド部１１０に係合して摺動するような構成になっている。摺動するために、第１のスライダ１０７と第２のスライダ１０８とバネ１０６が取り付けられている。第１のスライダ１０７及び第２のスライダ１０８は第１のカバー１０４の閉じ方向に付勢するようにバネ１０６により接続されており、第１のカバーと同様にガイド部１１０に係合して摺動するような構成にし、第１のカバー１０４が中央から第１のスライダ１０７及び中央から第２のスライダ１０８の両方向に開閉する構成としている。
【００２２】
第２のカバー１０３は上ケースと下ケースに挟まれることにより、支持部１１７を軸として回転可能に軸支されている。第２のカバー１０３には第２のカバー１０３が閉じられている時に容易に第２のカバー１０３が開かないようにするための爪部１０９が設けられている。
【００２３】
導電部材は銅箔テープ１０２でできている。銅箔テープ１０２はケースの側面に配置できる部材であり、一端はガイド部１１０の位置まであり第１のスライドが摺動する方向に少しだけ折り曲げられて第１の接触部１１８となっており、他端は第２のカバー１０３の爪部１０９に引っ掛けられる形状部と第２の接触部１２０が存在する。中央部には切断されやすいようにするために幅が狭くなった切断部１１９がある。
【００２４】
図２と図３を用いて銅箔テープ１０２がケース内にどのように配置されているかを説明する。図２に示すようにケース側面に置かれている。銅箔テープ１０２の一端は、図３に示すようにケースの内側に取り付けられており、図６に示すように第１の導通確認孔１２４から第１の接触部１１８が見えるようになっている。他端は図５に示すように爪部１０９に取り付けられており、第２の導通確認孔１１２から第２の接触部１２０が見えるようになっている。また中央部は図４に示すようにケース内に設けられたクランク部１２３に沿って置かれており、切断部１１９は密閉部１３５に配置されている。
【００２５】
図７を用いて、第２のカバー１０３を開けた場合について説明する。第２のカバー１０３が開けられ始めると、銅箔テープ１０２は引っ張られて、切断部１１９の位置で切断され、切断後の銅箔テープ１２１はカートリッジの外に出される。一度切断後の銅箔テープ１２１がケースの外に出た場合、ケースの側面を沿って銅箔テープ１２１をケース内に戻そうとしても、クランク部１２３があるため、密閉部１３５の中まで入りきらず、元の状態に戻すことはできない。
【００２６】
さらに、このクランク部１２３は、図２に示すように、円で囲まれたＢの位置にあり、第１の開口部１と第２の開口部２がオープン状態でも物理的にアクセスが不能な位置に配置されているので、切断された銅箔テープ１２１を元の状態に戻すことはできない。
【００２７】
したがって、再び第２のカバー１０３を閉じた場合は、銅箔テープ１２１がない状態になる。
【００２８】
この状態で、第１の導通確認孔１２４と第２の導通確認孔１１２の導通状態を調べることで銅箔テープ１０２が繋がっているか、切断されているかを検知することが可能となる。切断されている場合は、第２のカバー１０３が開けられた履歴があることを検知できる。すなわち、第１の導通確認孔１２４と第２の導通確認孔１１２によって、第２のカバー１０３が開けられた履歴があるかどうかを検知する検知部として機能する。
【００２９】
次に、情報記録装置について説明する。
【００３０】
図８に示すように、情報記録装置は、記録媒体を挿入及び取り出しするための制御部１３７とディスクを駆動するための駆動制御部１３８とディスクにデータを記録するための記録制御部１３９と記録媒体の状態を確認するための認証部１４０からなる。
【００３１】
認証部１４０は図９に示すように、記録媒体の第１の導通確認孔１２４を通して第１の接触部１１８に接触するための第１の接触ピン１２８と、第２の通導確認孔１１２を通して第２の接触部１２０に接触するための第２の接触ピン１２７と、判定を行うＣＰＵ１３１がある。第１の接触ピン１２８はＣＰＵ１３１の出力端子１３２に接続され、プルダウンされている。第２の接触ピン１２７はＣＰＵ１３１の入力端子１３３に接続され、プルダウンされている。なお、出力端子１３２は、通常０Ｖになっている。
【００３２】
図１０を用いて、他の制御部について簡単に説明する。
【００３３】
記録媒体を挿入及び取り出しするための制御部はトレイ１２５とそれをオープンまたはクローズさせるための図示しないＤＣモーターとその回転をトレイ１２５に伝えるギア部とＤＣモーターの回転を制御する電気回路からなる。
【００３４】
駆動制御部１２６はスピンドルモーターとディスクをチャッキングする部材とスピンドルモーターを制御する電気回路からなる。
【００３５】
記録制御部１３９はレーザーを出力できるヘッド１３４とそれを制御する電気回路からなる。
【００３６】
次に、図１０と図１１を用いて、トレイ１２５がオープン状態からクローズ状態に移行したときの第１の接触ピン１２８と第２の接触ピン１２７の動作について説明する。
【００３７】
図１０に示すように、トレイ１２５がオープン状態で記録媒体がトレイ１２５にセットされたときは、第１のカバー１０４は閉じた状態になっている。
【００３８】
トレイ１２５がオープン状態でも、図１３に示すように、第１の導通確認孔１２４から第１の接触ピン１２８が入ってきて、第１の接触部１１８に接触する機構になっている。しかしながら、図１１に示すように、第２の接触ピン１２７はカートリッジガイド１２９があることにより、カートリッジには触れることはできない。
【００３９】
トレイ１２５がクローズ状態になった場合、図１２に示すように、第１のカバーは第１のスライダ方向へ摺動し、駆動装置１２６が記録媒体の中に入ってきてディスク１０５に装着される。このとき、図１４に示すように、カートリッジガイドが中に入ることにより、図示しないバネに押されて、第２の接触ピン１２７が第２の導通確認孔１１２から入ってきて、第２の接触部１２０に接触する。
【００４０】
トレイ１２５が再びオープン状態に移行するとき、第２の接触ピン１２７はカートリッジガイド１２９に蹴られて図１１に示すような状態に戻る。
【００４１】
次に、認証部の動作について説明する。
【００４２】
図９に認証部の構成を示す。
【００４３】
通常、ＣＰＵ１３１は、出力端子の設定を０Ｖにしている。
【００４４】
ＣＰＵ１３１は、出力端子１３２に電流を流すことにより０Ｖから５Ｖにする。このとき、第１の接触部１１８も５Ｖとなる。
【００４５】
銅箔テープ１０２が切断されていなければ、第２の接触部１２０の電圧も５Ｖになるので、ＣＰＵ１３１は、入力端子１３３に５Ｖの電圧を確認できる。逆に、銅箔テープ１０２が切断されていれば、入力端子１３３は０Ｖのままである。このようにすることにより、銅箔テープ１０２が切断されているか否かを判断することができる。
【００４６】
すなわち、第２のカバー１０３が開けられたことがあるか否かを判定することができる。
【００４７】
この状態においては、情報記録装置は、取り出されたことのあるディスク状態であると認識し、すなわち、医療現場において、一旦取り出されて汚れてしまった可能性の高いディスクであると認識する。この状態のディスクにおいては、検診者の検診情報が正しく記録されない、例えば、ありもしない影が見える状態で情報記録される。
【００４８】
それによって、正しい検診が行われない可能性があるので、避けなければならない状態である。
【００４９】
したがって、本実施形態においては、上述の如く、一旦、第２のカバー１０３が開放された状態のものが装着されたときには、ディスクが取り出されて汚れた可能性のある状態だと判断して、情報記録を行わないようにする。
【００５０】
すなわち、本実施形態における記録媒体および、それを用いた情報記録装置は、このような医療現場での、患者のデータ等を高精度な情報記録で行ないたいという要望を実現できるものである。
【産業上の利用可能性】
【００５１】
本発明にかかる記録媒体とそれを用いた情報記録装置は、一旦カートリッジケースから取り出されたディスクへの書き込み動作が確実に防止できて、高精度な書き込みを行うことの保障ができる効果を有し、情報記録装置等の分野に有用である。
【図面の簡単な説明】
【００５２】
【図１】本発明の実施の形態における記録媒体の分離状態の斜視図
【図２】本発明の実施の形態における記録媒体の銅箔テープの配置状態の図
【図３】Ａ部の拡大図（スライダとの接触する部分の図）
【図４】Ｂ部の拡大図（蓋が開けられた時に切断される部分の図）
【図５】Ｃ部の拡大図（蓋の爪部に銅箔テープが引っかかっている時の図）
【図６】図４のＤ方向から見たときのカートリッジの図
【図７】本発明の実施の形態における記録媒体の蓋が開けられた状態を示す図
【図８】情報記録装置の機能ブロック図
【図９】導通を確認するための認識部の図
【図１０】本発明の実施の形態における記録装置のトレイがオープン状態のときの図
【図１１】Ｅ部の拡大図（第２の接触ピンがディスクガイドによりカートリッジには当たらないことを示した図）
【図１２】本発明の実施の形態における記録装置のトレイがクローズ状態のときの図
【図１３】Ｆ部の拡大図（第１の接触ピンが第１の接触部に当たることを示した図）
【図１４】Ｆ部の拡大図（第２の接触ピンが第２の接触部に当たることを示した図）
【符号の説明】
【００５３】
１        第１の開口部
２        第２の開口部
１００    上ケース
１０１    下ケース
１０２    銅箔テープ
１０３    第２のカバー
１０４    第１のカバー
１０５    光ディスク
１０６    バネ
１０７    第１のスライダ
１０８    第２のスライダ
１０９    爪部
１１０    ガイド部
１１１    摺動領域
１１２    第２の導通確認孔
１１３、１１５    ヘッド挿入孔
１１４、１１６    駆動軸挿入孔
１１７    支持部
１１８    第１の接触部
１１９    切断部
１２０    第２の接触部
１２１    外側に出される銅箔テープ
１２２    内側に残る銅箔テープ
１２３    クランク部
１２４    第１の導通確認孔
１２５    トレイ
１２６    駆動装置
１２７    第２の接触ピン
１２８    第１の接触ピン
１２９    カートリッジガイド
１３０    回動軸
１３１    ＣＰＵ
１３２    出力端子
１３３    入力端子
１３４    ヘッド
１３５    密閉部
１３６    ディスクガイド壁
１３７    制御部
１３８    駆動制御部
１３９    記録制御部
１４０    認証部
【図１】
2010003378.tif 000003
【図２】
2010003378.tif 000004
【図３】
2010003378.tif 000005
【図４】
2010003378.tif 000006
【図５】
2010003378.tif 000007
【図６】
2010003378.tif 000008
【図７】
2010003378.tif 000009
【図８】
2010003378.tif 000010
【図９】
2010003378.tif 000011
【図１０】
2010003378.tif 000012
【図１１】
2010003378.tif 000013
【図１２】
2010003378.tif 000014
【図１３】
2010003378.tif 000015
【図１４】
2010003378.tif 000016